(57)【要約】【課題】硬度が高く、表面に凹凸があり、しかも、湿気を含み易い塊コークス等の粉粒体であってもケーシングの摩耗や粉粒体の仕切室の壁への固着堆積を確実に防止することができ、粉粒体の安定した所定量切り出しが可能となる。【解決手段】投入口２および排出口３を有するケーシング１と、ケーシング１内に放射状に設けられた、ケーシング１を複数個の仕切室（Ｓ）に仕切る複数枚の回転羽根板４とを備え、投入口２からケーシング１内に投入された粉粒体は、回転羽根板４によって排出口３から仕切室（Ｓ）単位でケーシング１外に順次排出されるロータリーフィーダーにおいて、投入口２内における回転羽根板４の噛み込み部にライナーブロック７が着脱自在に設けられている。【選択図】　図１
2004067377.tif 000002
【特許請求の範囲】
【請求項１】
投入口および排出口を有するケーシングと、前記ケーシング内に放射状に設けられた、前記ケーシングを複数個の仕切室に仕切る複数枚の回転羽根板とを備え、前記投入口から前記ケーシング内に投入された粉粒体は、前記回転羽根板によって前記排出口から前記仕切室単位で前記ケーシング外に順次排出されるロータリーフィーダーにおいて、
前記投入口内における前記回転羽根板の噛み込み部にライナーブロックが着脱自在に設けられ、かくして、前記粉粒体の接触による前記ケーシングの摩耗および前記粉粒体の前記仕切室の壁への固着堆積を防止することを特徴とするロータリーフィーダー。
【請求項２】
前記回転羽根板への前記粉粒体の固着堆積を防止する空気吹き込み手段が設けられていることを特徴とする、請求項１記載のロータリーフィーダー。
【発明の詳細な説明】
【０００１】
【発明の属する技術分野】
この発明は、ロータリーフィーダー、特に、硬度が高く、表面に凹凸があり、しかも、湿気を含み易い塊コークス等の粉粒体であってもケーシングの摩耗や粉粒体の仕切室の壁への固着堆積を確実に防止することができ、粉粒体の安定した所定量切り出しが可能なロータリーフィーダーに関するものである。
【０００２】
【従来の技術】
従来、粉粒体を輸送する設備においては、ホッパ等に貯留されている粉粒体を所定量切出すためにロータリーフィーダーが使用されている。
【０００３】
従来のロータリーフィーダーは、図４の断面図で示すように、投入口２および排出口３を有する円筒状ケーシング１と、ケーシング１内に放射状に設けられた複数枚の回転羽根板４とを備えていて、ケーシング１は、回転羽根板４によって複数個の仕切室（Ｓ）に仕切られている。回転羽根板４は、回転軸５に固定されていて、ケーシング１外に設けられたモータ等の駆動源（図示せず）により図中、矢印方向に所定速度で回転可能になっている。
【０００４】
投入口２からケーシング１内に投入された粉粒体は、一方向に回転する回転羽根板４によって排出口３から順次、仕切室（Ｓ）単位でケーシング１外に排出される。
【０００５】
【発明が解決しようとする課題】
しかし、従来のロータリーフィーダーは、以下のような問題点があった。
【０００６】
粉粒体が硬度が高く、表面に凹凸があり、しかも、湿気を含み易い塊コークスのような場合には、投入口２における回転羽根板４の噛み込み部６が塊コークスとの接触によって摩耗して、噛み込み部６のケーシング１に穴明きが生じ易かった。ケーシング１に穴明きが生じると、穴明きの程度によってはケーシング１全体を取り替える必要があった。また、塊コークスのコークス粉が仕切室（Ｓ）の壁に固着堆積して、塊コークスの切り出し量が減少する。このために、ケーシング１をあけて回転羽根板４の清掃を頻繁に行う必要があった。回転羽根板４の清掃は、設備停止による操業率の低下や補修コストの増加の原因になっていた。
【０００７】
従って、この発明の目的は、硬度が高く、表面に凹凸があり、しかも、湿気を含み易い塊コークス等の粉粒体であってもケーシングの摩耗や仕切室の壁への粉粒体の固着堆積を確実に防止することができ、粉粒体の安定した所定量切り出しが可能なロータリーフィーダーを提供することにある。
【０００８】
【課題を解決するための手段】
この発明は、下記を特徴とする。
【０００９】
請求項１記載の発明、投入口および排出口を有するケーシングと、前記ケーシング内に放射状に設けられた、前記ケーシングを複数個の仕切室に仕切る複数枚の回転羽根板とを備え、前記投入口から前記ケーシング内に投入された粉粒体は、前記回転羽根板によって前記排出口から前記仕切室単位で前記ケーシング外に順次排出されるロータリーフィーダーにおいて、前記投入口内における前記回転羽根板の噛み込み部にライナーブロックが着脱自在に設けられ、かくして、前記粉粒体の接触による前記ケーシングの摩耗および前記粉粒体の前記仕切室の壁への固着堆積を防止することに特徴を有するものである。
【００１０】
請求項２記載の発明は、前記回転羽根板への前記粉粒体の固着堆積を防止する空気吹き込み手段が設けられていることに特徴を有するものである。
【００１１】
【発明の実施の形態】
次に、この発明のロータリーフィーダーの一実施態様を図面を参照しながら説明する。
【００１２】
図１は、この発明のロータリーフィーダーを示す斜視図、図２は、この発明のロータリーフィーダーを示す断面図、図３は、ライナーブロックを外した、この発明のロータリーフィーダーを示す断面図である。
【００１３】
図１から図３において、１は、投入口２および排出口３を有する円筒状ケーシング、４は、ケーシング１内に放射状に設けられた複数枚の回転羽根板であり、ケーシング１は、回転羽根板４によって複数個の仕切室（Ｓ）に仕切られている。回転羽根板４は、回転軸５に固定されていて、ケーシング１外に設けられたモータ等の駆動源（図示せず）により図中、矢印方向に所定速度で回転可能になっている。
【００１４】
７は、回転羽根板４とほぼ同じ長さの金属製ライナーブロックであり、投入口２内における回転羽根板４の噛み込み部６にボルト８によって着脱自在に設けられている。ライナーブロック７の下面は、円弧面状に形成され、その円弧面状下面の曲率は、回転羽根板４の先端部の回転曲率と同一であり、回転羽根板４の先端部と接近している。しかも、ライナーブロック７の近傍で、図３に示すように、ケーシング１が分割できるようになっている。なお、ライナーブロック７の表面は、硬化肉盛りが施されており、耐摩耗性を向上させている。
【００１５】
９は、ケーシング１に設けられた空気吹き込み手段としてのノズルである。ノズル９は、回転羽根板４の長手方向に複数個（この例では４個）設けられている。各ノズル９からは、仕切室（Ｓ）に向けて圧縮空気が吹き込まれる。ノズル９から仕切室（Ｓ）に向けて圧縮空気を適宜吹き込むことにより、塊コークスから生じたコークス粉が仕切室（Ｓ）の壁、すなわち、ケーシング１の内面および回転羽根板４に固着堆積することを防止できる。ノズル９の最適設置個所は、図２に示すように、ケーシング１における回転羽根板４の戻り側で、回転羽根板４が水平になる直前が好ましい。
【００１６】
この発明のロータリーフィーダーは、上述のように構成されているので、投入口２からケーシング１内に投入された塊コークス等の粉粒体は、噛み込み部６において、先ず、ライナーブロック７と接触する。従って、硬度が高く、表面に凹凸がある塊コークスとケーシング１との接触が緩和され、ケーシング１の摩耗が低減され、この結果、ケーシング１の穴明きが防止される。ライナーブロック７が塊コークスとの接触で摩耗した場合には、容易に交換可能である。すなわち、図３に示すように、ケーシング１を分割し、ライナーブロック７の取り付けボルト８を緩めて取り替えることにより、ライナーブロック７の交換作業を短時間で行うことができる。
【００１７】
水分を含み易い塊コークス等の粉粒体は、時間の経過と共に仕切室（Ｓ）の壁に固着堆積し易いが、この場合には、適宜、ケーシング１に設けたノズル９から仕切室（Ｓ）に向けて圧縮空気を吹き込む。これによって、仕切室（Ｓ）の壁に固着堆積した塊コークス等の粉粒体は、確実に剥離除去される。従って、投入口２からケーシング１内に投入された粉粒体は、回転羽根板４によって常に、定量だけ排出口３からケーシング１外に切り出され、排出される。
【００１８】
【発明の効果】
以上説明したように、この発明によれば、以下のような有用な効果がもたらされる。
（１）ケーシングの投入口内における回転羽根板の噛み込み部にライナーブロックを着脱自在に設けることによって、粉粒体が塊コークスのように硬く、表面に凹凸がある粉粒体であっても、粉粒体の接触によるケーシングの摩耗を確実に防止することができる。
（２）ライナーブロックをケーシングに着脱自在に取り付けることによって、ライナーブロックの交換が容易に行える。
（３）ケーシングに空気吹き込み手段を設けることによって、仕切室の壁への粉粒体の固着堆積を確実に防止することができるので、常に、粉粒体の定量切り出しが行える。
【図面の簡単な説明】
【図１】この発明のロータリーフィーダーを示す斜視図である。
【図２】この発明のロータリーフィーダーを示す断面図である。
【図３】ライナーブロックを外した、この発明のロータリーフィーダーを示す断面図である。
【図４】従来のロータリーフィーダーを示す斜視図である。
【符号の説明】
１：ケーシング
２：投入口
３：排出口
４：回転羽根板
５：回転軸
６：噛み込み部
７：ライナーブロック
８：ボルト
９：ノズル
（Ｓ）：仕切室
【図１】
2004067377.tif 000003
【図２】
2004067377.tif 000004
【図３】
2004067377.tif 000005
【図４】
2004067377.tif 000006